(57)【要約】      （修正有）【課題】砂質地盤を振動締め固める装置であって、ロッドコンパクション工法による砂質地盤の改良範囲を広範囲、且つ、同時に実行して、工事費の低減化を可能にする。【解決手段】略ボックス型に形成され、下面に複数のロッド１８が相互に一定間隔で垂直に固設され、上面中心部にバイブロハンマー１７が固設されたロッド取付用ビーム１６を有し、更に、該バイブロハンマー１７をクローラクレーン１０の主巻きワイヤー１４に連結し、ロッド取付用ビーム１６並びに前記ロッド１８と一体的に上下動できるように構成され、各ロッド１８間を一定間隔に維持して該ロッド１８の上下動を許容するボックス型の金属製保持体１９を設け、該保持体１９に設けた前記各ロッド１８の遊挿孔１９ａに各ロッド１８を遊嵌し、且つ、該保持体１９をクローラクレーン１０の補巻ワイヤー１５に連結した砂質地盤を振動締め固める装置を提供する。【選択図】図１
2008291479.tif 000002
【特許請求の範囲】
【請求項１】
砂質地盤を振動締め固める装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をクローラクレーンの補巻ワイヤーに連結したことを特徴とする砂質地盤を振動締め固める装置。
【請求項２】
砂質地盤を振動締め固める装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、更に、前記ロッド取付用ビームの上下動をガイドする門型ガイドフレームを該ロッド取付用ビームの両側に対峙して設け、且つ、該門型ガイドフレームの脚部下端部近傍に前記ボックス型の金属製保持体を固設し、該門型ガイドフレームの上枠をクローラクレーンの補巻ワイヤーに連結したことを特徴とする砂質地盤を振動締め固める装置。
【請求項３】
砂質地盤を振動締め固める装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をアームを介してクローラクレーンの上部旋回体に取外し自在に連結すると共に、該金属製保持体をクローラクレーンの補巻ワイヤーに連結したことを特徴とする砂質地盤を振動締め固める装置。
【請求項４】
砂質地盤を振動締め固める装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をクローラクレーンの補巻ワイヤーに連結すると共に、該保持体上面中心部にバイブロタンパーを取付けたことを特徴とする砂質地盤を振動締め固める装置。
【請求項５】
上記保持体は自重によってロッドの上下動方向を垂直に保持できるように構成されたことを特徴とする請求項１又は４記載の砂質地盤を振動締め固める装置。
【発明の詳細な説明】
【技術分野】
【０００１】
本発明は砂質地盤を振動締め固める装置（以下、「ロッドコンパクション装置」といい、その工法を「ロッドコンパクション工法」という。）に関するものであり、特に、複数の鋼管製のロッド又はＨ鋼（以下、双方を称して単に「ロッド」という。）を用いたロッドコンパクション工法の施工中において、各ロッドの鉛直性及びロッド相互間の一定の間隔を保持することができ、且つ、均一で効率的な砂質地盤の改良が実行できるようにしたロッドコンパクション装置に関するものである。
【背景技術】
【０００２】
従来のロッドコンパクション装置を図１６及び図１７に従って説明し、更に、一般的ロッドコンパクション工法を図１８及び図１９に従って説明する。
【０００３】
図１６は従来の単軸ロッドから成るロッドコンパクション装置の全景を示す側面図であり、図１７は同正面図である。一般的にロッドコンパクション工法は、バイブロハンマーによって振動をロッドを介して地盤に伝達し、砂質地盤の締め固めを実施する工法である。適用土質としては、ロッドコンパクション工法が基本的には砂質地盤の振動締め固め工法であることから、振動によって容易に締め固められる砂質地盤を対象とし、一般に粒径７４μ以下で含有率３５％以下の砂質地盤に適用される。                          
【０００４】
又、ロッドコンパクション工法の使用目的は、緩い砂質地盤の液状化防止、支持力増大及び沈下の低減一定であり、建物、道路、タンク等の各種構造物の基礎、護岸、擁壁などの裏込め部の締め固めに用いられる。
【０００５】
以下、従来の単軸ロッドコンパクション工法に用いられる装置１を前記図１６及び図１７に従って説明する。同図において、ロッドコンパクション装置１は、クローラクレーン２と、該クローラクレーン２のリーダ３に、上面にバイブロハンマー４及び下面に単軸ロッド５を固設した架台６を昇降自在に取付け、且つ、該単軸ロッド５を改良しようとする砂質地盤Ｇに該リーダ３に沿って鉛直に打込み及び引抜きながら、前記バイブロハンマー４の振動を該単軸ロッド５を介し、砂質地盤Ｇに伝達させて該砂質地盤Ｇの締め固めを実行するものである。
【０００６】
次に、ロッドコンパクション工法の一般的手順を図１８及び図１９に従って説明する。図１８（ａ）に示すように、単軸ロッド５を改良しようとする砂質地盤Ｇ上面にセットする。次に、同図（ｂ）に示すように該単軸ロッド５をバイブロハンマー４の振動により前記砂質地盤Ｇに改良規定深度に到達するまで打込み、次に同図（ｃ）に示すように改良規定深度に達した後、該単軸ロッド５を予め算出された規定量Ｕｍ引抜き、更に、同図（ｄ）に示すように、予め算出された規定量Ｄｍ打込む。
【０００７】
斯くの如く、単軸ロッド５の打込み、引抜き動作を反覆しながら（同図（ｅ）乃至（ｆ）参照）該単軸ロッド５を介して伝達されるバイブロハンマー４の振動及び該単軸ロッド５の打込み時の突き固め動作で改良しようとする砂質地盤Ｇを締固める。又、該締固め動作によって該砂質地盤Ｇの表層が沈下するので、この部分には同図（ｇ）に示すように補給砂を充填しながらロッドコンパクション工法を施工することにより砂質地盤Ｇの締固めが行われて改良地盤を完成させるのである。
【０００８】
尚、前記単軸ロッド５の引抜き規定量Ｕｍ及び打戻し規定量Ｄｍは原砂質地盤Ｇの砂相互間の間隙比Ｎ値と締固めた後の改良地盤の設計値Ｎ′値により求められ、総突き固め長
ｈ並びに打設ピッチｄを決定してロッドコンパクション工法を施工するのである。図１９は改良深度１０ｍのロッドコンパクション工法におけるロッド先端軌跡模式の一例を示す。本例では引抜き規定量Ｕ＝３．０ｍ、打戻し規定量Ｄ＝２．０ｍとして施工している。又、表層から２ｍ深度における改良については、引抜き長に対して２／３以上の比率を打戻す事を原則としてロッドコンパクション工法を施工している。
【０００９】
而して、上記一般のロッドコンパクション工法による締固め効果は主として前記単軸ロッド５の振動によって砂質地盤の締固めを実行するものであるから、バイブロハンマー４による振動の伝達が該単軸ロッド５の周辺に限られる。然るときは、締固めて改良された改良柱の直径が小さく、依って、広域に及んで地盤を改良しようとすると、小ピッチで施工を繰り返さなければならなくなり、斯くして、工事費が嵩むと云う問題が生じる。
【００１０】
そこで、鋼管から成るロッド本体と、該ロッド本体の外径と同等かそれより大径をなす先端ブロックとを同軸上に離間して配置するとともに、前記ロッド本体の先端部と前記先端ブロックとを該ロッド本体よりも剛性の小さい連結手段により連結して成るロッドコンパクション工法に用いるロッドが提案されている。（例えば特許文献１参照）
【特許文献１】特開２００５−８３０８０号公報（特許請求の範囲「請求項１」及び「図１」）
【発明の開示】
【発明が解決しようとする課題】
【００１１】
上記特許文献１記載のロッドコンパクション装置のロッドも、一般のロッドと同様に結果として単軸ロッドであるから、該特許文献１記載のロッドの縦振動と横振動に基づく締固めによって改良柱を形成するとしても、その振動幅は当然該単軸ロッド周辺に限られることになり、上記従来例の有する欠陥を効果的に解消し得るまでには至らない。
【００１２】
そこで、ロッドコンパクション装置であって、ロッドコンパクション工法による砂質地盤の改良範囲を可及的に広範囲、且つ、同時に実行して小ピッチ施工の反覆操作を少なくし、工事費の低減化を可能にするために解決せられるべき技術的課題が生じてくるのであり、本発明は該課題を解決することを目的とする。
【課題を解決するための手段】
【００１３】
本発明は上記目的を達成するために提案せられたものであり、請求項１記載の発明はロッドコンパクション装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をクローラクレーンの補巻ワイヤーに連結したロッドコンパクション装置を提供するものである。
【００１４】
この構成によれば、複数のロッドが相互に一定間隔を有してロッド取付用ビームに取付けられているので、バイブロハンマーの振動は複数のロッド振動の相剰作用が働き、ロッド間及びその外側周辺に及んで砂質地盤へ前記振動が伝達される。
【００１５】
又、ボックス型の金属製保持体に一定間隔で遊挿された各ロッドは常時一定間隔を維持して砂質地盤への打設、引抜き動作が行われる。
【００１６】
請求項２記載の発明はロッドコンパクション装置であって、該装置は略ボックス型に形
成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、更に、前記ロッド取付用ビームの上下動をガイドする門型ガイドフレームを該ロッド取付用ビームの両側に対峙して設け、且つ、該門型ガイドフレームの脚部下端部近傍に前記ボックス型の金属製保持体を固設し、該門型ガイドフレームの上枠をクローラクレーンの補巻ワイヤーに連結したロッドコンパクション装置を提供する。
【００１７】
この構成によれば、上記請求項１記載の発明による作用の外、バイブロハンマー及び各ロッドを取付けたロッド取付用ビームの両側が門型ガイドフレームによってガイドされるので、たとえ前記保持体がロッドの打設、引抜動作時に垂直維持性が不足しても、該門型ガイドフレームによって各ロッドは常に垂直性を維持して砂質地盤への打設、引抜き動作が行われる。
【００１８】
請求項３記載の発明は、ロッドコンパクション装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をアームを介してクローラクレーンの上部旋回体に取外し自在にすると共に、該金属製保持体をクローラクレーンの補巻ワイヤーに連結したロッドコンパクション装置を提供するものである。
【００１９】
この構成によれば、上記請求項１記載の発明による作用の外、該保持体はロッドの垂直打設、引抜きを維持し得るに足る十分な重量を有していないとしても、該保持体はアームを介してクローラクレーンの上部旋回体に連結されているので、該保持体の設置位置は所定位置に固定されることになり、依って、各ロッドの砂質地盤に対する打設、引抜き方向が常に垂直に維持される。
【００２０】
請求項４記載の発明はロッドコンパクション装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をクローラクレーンの補巻ワイヤーに連結すると共に、該保持体上面中心部にバイブロタンパーを取付けたロッドコンパクション装置を提供するものである。
【００２１】
この構成によれば、上記請求項１記載の発明による作用の外、保持体上にバイブロタンパーが取付けられているので、ロッドコンパクション工法施工後において砂質地盤の表層部が前記バイブロタンパーの起振によって締固められる。
【００２２】
請求項５記載の発明は、上記保持体は自重によってロッドの上下動方向を垂直に保持できるように構成されたロッドコンパクション装置を提供するものである。
【００２３】
この構成によれば、請求項１又は４記載の発明に用いられている保持体が、各ロッドが砂質地盤へ垂直に打設又は引抜かれることを可能にし得るに足る十分な重量を有しているので、各ロッドは該砂質地盤に対して常に垂直に打設又は引抜かれてロッドコンパクション工法が実行される。
【発明の効果】
【００２４】
請求項１記載の発明は、複数のロッドがロッド取付用ビームの下面に夫々一定の間隔を有して取付けられているので、ロッドコンパクション工法による砂質地盤に対する締固めエリアが増大すると共に、各ロッドは各ロッドの前記一定の間隔を維持して砂質地盤へ打設又は引抜き動作が保障されるようにボックス型の金属製保持体に前記一定の間隔を有して該保持体に設けられている遊挿孔に遊挿されているので、各ロッドの前記打設及び引抜き動作時における一定間隔が常に維持される。斯くして、ロッドが砂質地盤に打込まれるとき及び引抜き時に生じる曲げモーメントによる撓みが生じることはなく、複数の単軸ロッドによるロッドコンパクション工法を精度良く施工することが可能となる。
【００２５】
又、請求項２記載の発明は、前記請求項１記載の発明のロッド取付用ビームの両側がガイドされて上下動できるように門型ガイドフレームが設けられており、且つ、該門型ガイドフレームの下部を前記保持体に固設してクローラクレーンの補巻ワイヤーに連結しているので、各ロッドは請求項１記載の発明の効果に加え、各ロッドが一定の間隔を有しながら鉛直に上下動することが可能となるため、該ロッドの振動の相互作用に基づく砂質地盤の締固めをより一層高精度に達成することが可能となる。
【００２６】
請求項３記載の発明は、保持体をアームを介してクローラクレーンの上部旋回体に取付けているので保持体の位置が固定し、不慮揺動することがない。斯くして、ロッドの砂質地盤に対する打込み及び引抜き動作時において常にロッド相互間の所定間隔及び鉛直性を維持しながらロッドコンパクション工法を精度良く実行することが可能となる。
【００２７】
請求項４記載の発明は、保持体上面中心部にバイブロタンパーを取付けたので、ロッドコンパクション工法施工後、表層部を前記バイブロタンパーを起動させてタンパー工を施工できる。斯くして、ロッドコンパクション工法から引き続き前記タンパー工を同時に実行できるので、別途機械を用いてタンパー工を施工するものに比し、位置セット及び移動時間が省略でき、依って、工期の短縮及び組立解体費用の低減等が可能となる。又、タンパー工施工時においては、各ロッドがタンパーの門型ガイドフレームとして作用するので、タンパー工施工時に問題となる横ずれが防止でき、効率良くタンパーによる締固めが実施されることが可能となる。
【００２８】
請求項５記載の発明は、請求項１記載の発明の保持体が各ロッドの上下動方向を垂直に保持できるに足る十分な重量を有するように構成されているので、請求項２記載の発明の門型ガイドフレームを有しなくても、各ロッドは相互に一定間隔を有し、且つ、砂質地盤に対して鉛直方向へ正確に打込み及び引抜き動作が実行されるので、ロッドコンパクション工法において請求項１記載の発明の効果に加え、より一層の精度良好な砂質地盤を広範囲に、且つ、同時に施工することが可能となる。
【発明を実施するための最良の形態】
【００２９】
ロッドコンパクション工法による砂質地盤の改良範囲を可及的に広範囲にし、且つ、同時に実行して小ピッチ施工の反覆操作を少なくし、工事費の低減化を可能にすると云う目的を達成するためにロッドコンパクション装置であって、該装置は略ボックス型に形成され、下面に複数のロッドが相互に一定間隔で垂直に固設されたロッド取付用ビームを有し、該ロッド取付用ビーム上面中心部にバイブロハンマーが固設され、更に、該バイブロハ
ンマーをクローラクレーンの主巻きワイヤーに連結して、該バイブロハンマー及びロッド取付用ビーム並びに前記ロッドが同時に上下動できるように構成されると共に、各ロッド間を一定間隔に維持して該ロッドの上下動を許容するボックス型の金属製保持体を設け、該保持体に設けた前記各ロッドの遊挿孔に各ロッドを遊嵌し、且つ、該保持体をクローラクレーンの補巻ワイヤーに連結したことを特徴とするロッドコンパクション装置を提供することによって実現した。
【実施例】
【００３０】
以下、本発明の実施例を図１乃至図１５に従って詳述する。図１は本発明の第１の実施の形態を示す側面図であり、図２は同正面図、図３は要部の側面図である。図において、符号１０はロッドコンパクション工法に用いられるクローラクレーンであり、該クローラクレーン１０は下部走行体１１と、該下部走行体１１上に旋回自在に搭載されている上部旋回体１２と、該上部旋回体１２の前部（図１において右端部）に俯仰自在に枢着されているブーム１３とから成る。該ブーム１３には主巻ワイヤー１４と補巻ワイヤー１５が各ジャッキー（図示略）に連結されている。
【００３１】
図１乃至図３に示す実施例は平面略方形に形成されたロッド取付用ビーム１６上にバイブロハンマー１７を固結すると共に、下面に２本のロッド１８，１８が夫々一定間隔で固結されている。即ち、該ロッド１８，１８は該ロッド取付用ビーム１６の両端部近傍に配設することにより各ロッド１８，１８は相互に一定間隔を有して前記ロッド取付用ビーム１６に固結されることができる。該ロッド１８は鋼管製のロッド又はＨ鋼から成る。
【００３２】
而して、本発明にかかる各ロッド１８，１８は各ロッド１８，１８がロッドコンパクション工法により改良しようとする砂質地盤Ｇに打込まれるとき、及び引抜かれるとき各ロッド１８，１８相互間の一定間隔を維持し、且つ、垂直方向に前記打込み、引抜き動作が実行されるべくブロック状であって、且つ、略方形の保持体１９が設けられ、該保持体１９の両端部近傍に各ロッド１８，１８の遊挿孔１９ａ，１９ａを開穿し、各遊挿孔１９ａ，１９ａに前記対応する各ロッド１８，１８を遊挿することにより、各ロッド１８，１８は相互に一定間隔を維持しながら垂直方向へ打込まれ及び引抜かれることになる。
【００３３】
尚、本実施例の場合は、ロッド１８は２本に限定せられるものではなく、前記保持体１９を略正方形に形成し、該保持体１９の四隅近傍に四本のロッド１８，１８，１８，１８を固設して用いることもでき、この場合はより広範囲のロッドコンパクション工法が施工できる。
【００３４】
而して、該保持体１９は前記各ロッド１８，１８を遊嵌するとともに、少なくとも両端部が門型ガイドフレーム２０の対峙する双方の脚部２０ａ，２０ａの下端部近傍に固設されて該門型ガイドフレーム２０と一体に構成されている。尚、前記脚部２０ａ，２０ａの下端部２０ｂ，２０ｂは該保持体１９の下面から突設されている。又、該門型ガイドフレーム２０の上枠２０ｃは前記補巻ワイヤー１５に連結され、前記バイブロハンマー１７は前記主巻ワイヤー１４に連結されて個々に上下動できるように構成されている。
【００３５】
又、該門型ガイドフレーム２０の前記双方の脚部２０ａ，２０ａには前記ロッド取付用ビーム１６の両側縁部が係止されて該ロッド取付用ビーム１６が門型ガイドフレーム２０にガイドされて鉛直に上下動可能に構成されている。斯くして、この実施例のロッドコンパクション部Ａが構成される。
【００３６】
而して、該ロッドコンパクション部Ａを改良しようとする砂質地盤Ｇ上にセットする際は、図１に示すように先ず、クローラクレーン１０によって該ロッドコンパクション部Ａを前記目的地点に配置し、そして、図２に示すように前記門型ガイドフレーム２０の下端
部２０ｂ，２０ｂを地盤表層部へ突入させて該門型ガイドフレーム２０を該砂質地盤Ｇ上に垂直に固定し、然る後、図３に示すように前記主巻ワイヤー１４の作動により前記ロッド取付用ビーム１６を前記門型ガイドフレーム２０にてガイドされながら垂直方向に上下動できるように形成されている。このとき、該門型ガイドフレーム２０がロッド１８，１８の前記砂質地盤Ｇへの貫入時に伴う共下がりを防止するために、クローラクレーン１０の補巻ワイヤー１５にて吊下する。
【００３７】
尚、ロッドコンパクション工法による施工は、従来例でも説明しているが、本発明によるロッドコンパクション工法による施工は図１１乃至図１６に基づいて後述する。
【００３８】
図４及び図５は第２の実施例を示し、図４は側面図、図５はキャッチホーク２１の平面図である。而して、該キャッチホーク２１は前記保持体１９と同様に各ロッド１８を遊嵌して各ロッド１８相互の一定の間隔を保持できるように構成されて成るものである。而して、この実施例と前記図１〜図３に示す実施例との相違点は該キャッチホーク２１は四本のロッド１８，１８，１８，１８を採択し、そして、該四本のロッド１８，１８，１８，１８を一定間隔に維持すべく各ロッド１８，１８，１８，１８の遊挿孔１９ａ，１９ａ，１９ａ，１９ａを設けている点、及び前記門型ガイドフレーム２０がない点、並びに、前記第１の実施例の保持体１９に対応するキャッチホーク２１の後端部をアーム２２を介してクローラクレーン１０の上部旋回体１２に連結して、この実施例のロッドコンパクション部Ｂを構成している点である。
【００３９】
そこで、該ロッドコンパクション部Ｂを改良しようとする砂質地盤上にセットしたときは、該キャッチホーク２１の位置が固定されるので、各ロッド１８，１８，１８，１８は前記実施例と同様に夫々相互に一定間隔を維持して垂直に上下動できるように構成されている。
【００４０】
図６及び図７は、更に本発明の第３の実施例を示し、図６はその側面図、図７（ａ）は前記保持体１９及びキャッチホーク２１に対応するキーパー２３の平面図、同図（ｂ）は同側面図である。
【００４１】
この実施例が前記第１及び第２の実施例と相違する点は、前記門型ガイドフレーム２０を有しない点及びキーパー２３が前記アーム２２によってクローラクレーン１０の上部旋回体１２に連結されていない点である。そこで、この第３の実施例のロッドコンパクション部Ｃにおける前記キーパー２３は、略正方形状の金属製の重量物で構成され、且つ、四隅近傍にロッド１８，１８，１８，１８の遊挿孔１９ａ，１９ａ，１９ａ，１９ａが設けられて、各ロッド１８，１８，１８，１８が夫々遊嵌されている。而して、該キーパー２３の自重によって該キーパー２３に夫々遊嵌されるロッド１８，１８，１８，１８が相互に一定の距離を維持すると共に、垂直方向の上下動を許容するに足る十分な重量物によって構成されている。
【００４２】
而して、該キーパー２３は前述したように、略正方形状に形成された金属製重量物から成り、中間部は桁状に形成されているが之に限定せられるべきではない。又、該キーパー２３の四隅近傍にロッド１８，１８，１８，１８の夫々の遊挿孔を形成するパイプ２３ａ，２３ａ，２３ａ，２３ａが固設され、該パイプ２３ａ，２３ａ，２３ａ，２３ａに夫々対応する各ロッド１８，１８，１８，１８が遊嵌され、該パイプ２３ａ，２３ａ，２３ａ，２３ａを介して各ロッド１８，１８，１８，１８が相互に一定間隔を有して垂直に上下動できるように構成されている。
【００４３】
図８乃至図１０は更に、本発明の第４の実施例を示し、図８及び図９はその側面図、図１０は前記キーパー２３の中心部にバイブロタンパー２４を搭載した状態を示す平面図で
ある。
【００４４】
而して、本実施例のロッドコンパクション部Ｄは前述したように、前記第３の実施例のロッドコンパクション部Ｃにおけるキーパー２３の中心部にバイブロタンパー２４を固結し、之をクローラクレーン１０の補巻ワイヤー１５に連結した点が第３の実施例のロッドコンパクション部Ｃと異なり、その余は第３の実施例のロッドコンパクション部Ｃと全く同一である。
【００４５】
以下、本発明を用いてロッドコンパクション工法の手順を図１１乃至図１５に基づいて説明する。尚、ここでは本発明の第１乃至第４の各実施例にて示されたロッドコンパクション部Ａ，Ｂ，Ｃ，Ｄのうち、門型ガイドフレーム２０を用いた第１の実施例についてのロッドコンパクション部Ａによるロッドコンパクション工法の手順を説明するが、他の実施例についてのロッドコンパクション部Ｂ，Ｃ，Ｄを用いた場合であっても手順は同様であるから、之等ロッドコンパクション部Ｂ，Ｃ，Ｄによるロッドコンパクション工法の手順は省略するものとする。
【００４６】
ア：打設準備（図１１）
ロッドコンパクション部Ａを、クローラクレーン１０によって改良しようとする砂質地盤Ｇに誘導してセットする。このセットに際して、先ず門型ガイドフレーム２０をクローラクレーン１０の駆動により下降させて該門型ガイドフレーム２０の双方の脚部２０ａ，２０ａの下端部２０ｂ，２０ｂを砂質地盤Ｇの表層部へ垂直に打入させて保持体１９の位置を固定させる。尚、第２の実施例の場合は前記門型ガイドフレームに代えてキャッチホーク２１をアーム２２を介してクローラクレーン１０の上部旋回体１２に固定しているので、セットされた該キャッチホーク２１の位置は固定される。又、第３及び第４実施例の場合は、キーパー２３の自重によって該キーパー２３のセット位置が固定される。
【００４７】
斯くの如く、実施例１のロッドコンパクション部Ａの門型ガイドフレーム２０の双方の脚部２０ａ，２０ａの下端部２０ｂ，２０ｂが砂質地盤Ｇ内に貫入し固定されたときは、クローラクレーン１０の補巻ワイヤー１５を巻き上げてロッド１８を貫入するとき、共下がりを阻止できる状態まで門型ガイドフレーム２０を吊設しておく。
【００４８】
イ：ロッド貫入（図１２）
バイブロハンマー１７を起動させ、ロッド１８を規定深度まで貫入させる。該ロッド１８の貫入に伴い、砂質地盤Ｇが沈下するのでトラクタショベル２６を用いて補給砂Ｐ，Ｐ…を該沈下地点に投入する。
【００４９】
ウ：ロッド引抜き（図１３）
バイブロハンマー１７を起動させたまま、ロッド１８を引抜き規定量Ｕｍ引抜く。このときも砂質地盤Ｇはバイブロハンマー１７の起動によってロッド１８に伝達された振動により徐々に締固められる。
【００５０】
エ：打戻し（図１４）
バイブロハンマー１７を起動させたままロッド１８を打戻し規定量Ｄｍまで打戻す。このとき、ロッド１８の先端部で砂質地盤Ｇを突固め、同時に該ロッド１８の前記振動との相剰作用によって該砂質地盤Ｇが締固められる。
【００５１】
打戻しに伴い砂質地盤Ｇの表層が沈下するのでトラクタショベル２６を用いて前記補給砂Ｐ，Ｐ…を該沈下部分に充填しながら、前記ロッド引抜き及び該打戻し工程を繰り返し、規定地盤（天端）に至るまで該砂質地盤Ｇの締固めを行う。
【００５２】
オ：バイブロタンパー工（図１５）
ロッドコンパクション工法は、表層２ｍ程度の締固めが不充分となり易いので、前記ロッド１８を取り外してタンパー用プレート２５に変更し、或いは、ロッド取付用ビーム１６の底面のままで、バイブロタンパー２４を用いてバイブロタンパー工を実行し、前記表層２ｍの締固めを行い、斯くして、規定深度から表層に至るまでの砂質地盤Ｇの締固めが実行される。
【００５３】
尚、本発明は、本発明の精神を逸脱しない限り種々の改変を為すことができ、そして、本発明が該改変されたものに及ぶことは当然である。
【図面の簡単な説明】
【００５４】
【図１】本発明の第１の実施例を示し、その全景の側面図。
【図２】本発明の第１実施例のロッドコンパクション部を砂質地盤上にセットした状態を示す正面図。
【図３】図２の状態からロッドを砂質地盤に規定深度に達するまで貫入した状態を示す正面図。
【図４】本発明の第２の実施例を示し、その全景の側面図。
【図５】前記第２の実施例に用いられるキャッチホークの平面図。
【図６】本発明の第３の実施例を示し、その全景の側面図。
【図７】（ａ）：前記第３の実施例に用いられるキーパーの平面図。                      （ｂ）：（ａ）の側面図。
【図８】本発明のタンパー併用型の第４実施例を示し、その全景の側面図。
【図９】図８のタンパー併用型の第４実施例を砂質地盤へセットした状態を示す側面図。
【図１０】図８及び図９の実施例に用いられるバイブロタンパーを設置した状態を示す平面図。
【図１１】本発明を用いてロッドコンパクション工法を施工する手順であって、その打設準備の状態を示す側面図。
【図１２】図１１の状態からロッドを砂質地盤の規定深度に到達するまで貫入した状態を示す側面図。
【図１３】図１２の状態からロッドを規定量引抜いた状態を示す側面図。
【図１４】図１３の状態からロッドを規定量だけ打戻した状態を示す側面図。
【図１５】図１４の状態から表層部を締固めるためのバイブロハンマー工を実施している状態を示す側面図。
【図１６】従来のロッドコンパクション工法に用いられる装置を示し、その側面図。
【図１７】図１６の正面図。
【図１８】（ａ）（ｂ）（ｃ）（ｄ）（ｅ）（ｆ）（ｇ）：一般のロッドコンパクション工法の手順を示す解説図。
【図１９】一般のロッドコンパクション工法におけるロッド先端軌跡模式の一例を示す解説図。
【符号の説明】
【００５５】
１０        クローラクレーン
１１        下部走行体
１２        上部旋回体
１３        ブーム
１４        主巻きワイヤー
１５        補巻ワイヤー
１６        ロッド取付用ビーム
１７        バイブロハンマー
１８        ロッド
１９        保持体
１９ａ      遊挿孔
２０        門型ガイドフレーム
２０ａ      脚部
２０ｂ      下端部
２０ｃ      上枠
２１        キャッチホーク
２２        アーム
２３        キーパー
２４        バイブロタンパー
２５        タンパー用プレート
２６        トラクタショベル
Ａ，Ｂ，Ｃ，Ｄ    ロッドコンパクション部
Ｐ          補給砂
【図１】
2008291479.tif 000003
【図２】
2008291479.tif 000004
【図３】
2008291479.tif 000005
【図４】
2008291479.tif 000006
【図５】
2008291479.tif 000007
【図６】
2008291479.tif 000008
【図７】
2008291479.tif 000009
【図８】
2008291479.tif 000010
【図９】
2008291479.tif 000011
【図１０】
2008291479.tif 000012
【図１１】
2008291479.tif 000013
【図１２】
2008291479.tif 000014
【図１３】
2008291479.tif 000015
【図１４】
2008291479.tif 000016
【図１５】
2008291479.tif 000017
【図１６】
2008291479.tif 000018
【図１７】
2008291479.tif 000019
【図１８】
2008291479.tif 000020
【図１９】
2008291479.tif 000021